(57)【要約】【課題】熟練を要することなく、迅速に、且つ正確に、コアに巻回されたフィルムの長手方向に対してカットする。【解決手段】フィルム１を巻回した円筒型のコア２を保持するフィルムホルダー３と、該フィルムホルダー３を上部に載置固定するベース台板４と、該ベース台板４上に載置してフィルム１の上方部を挟持して固定するフィルムストッパー５とにより構成され、前記フィルムホルダー３を構成する２個の上部カッターホルダー保持具１４の上方には、刃先を下方に向けたカッター１６の他方端部を挿入固定するカッターホルダー１８が突設されされると共に、２個の下部カッターホルダー保持具２０には、カッター１６の一方端部を挿入するカッターホルダー３０が突設される。【選択図】図２０
2004082256.tif 000002
【特許請求の範囲】
【請求項１】
フィルムを巻回した円筒型のコアを保持するフィルムホルダーと、該フィルムホルダーを上部に載置固定するベース台板と、該ベース台板上に載置してフィルムの上方部を挟持して固定するフィルムストッパーとにより構成され、
前記フィルムホルダーは、水平杆の両側に、端縁部を残して、直角にそれぞれ固定杆を垂設固定すると共に、該各固定杆の下方部外側面にホルダー軸を突設して保持バーを形成し、更に、前記保持バーを構成する一方の固定杆の内側面に、径の異なる複数のコアの端縁部を嵌挿して装着できるように、複数のコアの内径と一致する径を有する円盤状の突起を、複数個階段状に一体に突設して形成されたコアホルダーが回転自在なるよう軸支され、
また、巾の異なるコアを装着できるように、他方の固定杆の内側の前記水平杆には、可動杆の上端部が、該水平杆に沿って左右動、および固定自在なるよう装着されており、且つ前記一方の固定杆のコアホルダーと対面する前記可動杆の内側面に、前記一方の固定杆に軸支されたと同一構成のコアホルダーが回転自在なるように軸支されており、
前記水平杆には、２個の上部カッターホルダー保持具が、該水平杆に沿ってそれぞれ左右動および固定自在なるよう装着されると共に、前記各上部カッターホルダー保持具の上方には、カッターの他方端部を挿入固定するカッターホルダーが突設され、
前記フィルムホルダーを構成する保持バーの各固定杆の内側面に、２個の下部カッターホルダー保持具を左右動、および固定自在なるよう装着するカッターホルダー保持杆が回動可能なるよう軸支されており、該カッターホルダー保持杆は、２個の下部カッターホルダー保持具を左右動、および固定自在なるよう装着する保持杆の両側に支杆を突設すると共に、該支杆を各固定杆に軸支して形成され、
前記カッターホルダー保持杆の保持杆には、それぞれ下部カッターホルダー保持具を上方に立設した２個のホルダー基板が、該カッターホルダー保持杆に沿って左右動、および固定自在なるよう装着されると共に、該各ホルダー基板の底板の前方には、カッタースケールを目視して位置合わせをする目視孔が穿設され、前記各下部カッターホルダー保持具には、カッターの一方端部を挿入するカッターホルダーが突設され、
前記ベース台板は、長方形状の基板の長手方向の正面側・背面側端縁部に、正面側起立片と背面側起立片とをそれぞれ直角に折曲して立設すると共に、該各正面側・背面側起立片の両側端部に、前記フィルムホルダーを載置して固定する固定板が対向して取付けられて形成され、
前記固定板は、背面側にフィルムストッパーを高さを調節して固定するフィルムストッパー受けを立設すると共に、中央部に前記フィルムホルダーに設けられたホルダー軸を装入する半円状凹部を設け、更に正面側に前記フィルムホルダーの水平杆の両側の端縁部を載置する切欠部を設けて形成され、
前記各ホルダー軸を半円状凹部に上方より装入すると共に、水平杆の両側端縁部を両側の切欠部にそれぞれ載置固定して、フィルムホルダーをベース台板に固定し、
前記フィルムストッパー受けは、各固定板の背面側端縁部上にガイド柱が立設されると共に、該ガイド柱内に、上端に案内ローラーの両端に突出した軸を装入する凹部を備えたスライド杆が上下動自在、且つ高さ位置を調整してその位置で固定可能なるようにして挿入されて形成され、
更に、前記フィルムストッパーは、水平杆の両側に、垂直杆を連設すると共に、該垂直杆の先端に連結杆を正面側に直角に連設固定してフィルム押圧バーを形成し、且つ該フィルム押圧バーが前記各スライド杆に揺動可能に軸支されると共に、前記スライド杆の上端の各凹部に案内ローラーの軸を装入して、該案内ローラーが回転可能なるよう配設され、且つ前記フィルム押圧バーが前記案内ローラーの背面側面に圧接および隔離自在なるようにして形成され、
更に、前記ベース台板の背面側起立片には、上部にフィルムのカット長さを表示するカウンターを、起伏自在なるように設置したカウンター保持具が左右動、および固定自在に装着され、且つ前記カウンターは、カウント表示器の両側部に、コアに巻回されたフィルムの外周面に圧接して回転して、長さを測定するローラーを備えて形成されたことを特徴とするフィルムカッター装置。
【発明の詳細な説明】
【０００１】
【発明の属する技術分野】本発明は、円筒型のコアに巻回したフィルムを、コアの長手方向に対して垂直に、且つ所要の巾で必要な長さに、またカット面を水平にカットすることができるフィルムカッター装置に関するものである。
【０００２】
【従来の技術】従来、円筒型のコアに巻回したフィルムを所要の巾および長さにカットする場合、片隅にフィルムホルダーを装置した大きな作業台上で、フィルムをコアから引き出して定規を当ててカッターでカットしていた。また、作業台がない場合、地面上等に大きなボードを置いてその上でカットしていた。
【０００３】
【発明が解決しようとする課題】しかしながら、前記従来のフィルムのカット方法では、熟練を要すると共に、手間がかかり、迅速に、且つ所要の巾、長さにフィルムをカットすることができず、カットミスが多いという課題があった。
【０００４】また、ボード上でカットする場合、カット作業が更に困難でカットミスが多いという課題があった。
【０００５】更に、巾の大きな、例えば１５００ｍｍ以上の巾のフィルムの中心をカットする場合、手が届きにくく、カットミスを多発し易いという課題があった。
【０００６】本発明は前記課題を解決すべくなされたもので、熟練を要さず、カットミスがなく、迅速、且つ正確に、所要の巾、長さにフィルムをカットすることができるフィルムカッター装置を提供しようとするものである。
【０００７】
【課題を解決するための手段】本発明は、フィルムを巻回した円筒型のコアを保持するフィルムホルダーと、該フィルムホルダーを上部に載置固定するベース台板と、該ベース台板上に載置してフィルムの上方部を挟持して固定するフィルムストッパーとにより構成され、
前記フィルムホルダーは、水平杆の両側に、端縁部を残して、直角にそれぞれ固定杆を垂設固定すると共に、該各固定杆の下方部外側面にホルダー軸を突設して保持バーを形成し、更に、前記保持バーを構成する一方の固定杆の内側面に、径の異なる複数のコアの端縁部を嵌挿して装着できるように、複数のコアの内径と一致する径を有する円盤状の突起を、複数個階段状に一体に突設して形成されたコアホルダーが回転自在なるよう軸支され、
また、巾の異なるコアを装着できるように、他方の固定杆の内側の前記水平杆には、可動杆の上端部が、該水平杆に沿って左右動、および固定自在なるよう装着されており、且つ前記一方の固定杆のコアホルダーと対面する前記可動杆の内側面に、前記一方の固定杆に軸支されたと同一構成のコアホルダーが回転自在なるように軸支されており、
前記水平杆には、２個の上部カッターホルダー保持具が、該水平杆に沿ってそれぞれ左右動および固定自在なるよう装着されると共に、前記各上部カッターホルダー保持具の上方には、カッターの他方端部を挿入固定するカッターホルダーが突設され、
前記フィルムホルダーを構成する保持バーの各固定杆の内側面に、２個の下部カッターホルダー保持具を左右動、および固定自在なるよう装着するカッターホルダー保持杆が回動可能なるよう軸支されており、該カッターホルダー保持杆は、２個の下部カッターホルダー保持具を左右動、および固定自在なるよう装着する保持杆の両側に支杆を突設すると共に、該支杆を各固定杆に軸支して形成され、
前記カッターホルダー保持杆の保持杆には、それぞれ下部カッターホルダー保持具を上方に立設した２個のホルダー基板が、該カッターホルダー保持杆に沿って左右動、および固定自在なるよう装着されると共に、該各ホルダー基板の底板の前方には、カッタースケールを目視して位置合わせをする目視孔が穿設され、前記各下部カッターホルダー保持具には、カッターの一方端部を挿入するカッターホルダーが突設され、
前記ベース台板は、長方形状の基板の長手方向の正面側・背面側端縁部に、正面側起立片と背面側起立片とをそれぞれ直角に折曲して立設すると共に、該各正面側・背面側起立片の両側端部に、前記フィルムホルダーを載置して固定する固定板が対向して取付けられて形成され、
前記固定板は、背面側にフィルムストッパーを高さを調節して固定するフィルムストッパー受けを立設すると共に、中央部に前記フィルムホルダーに設けられたホルダー軸を装入する半円状凹部を設け、更に正面側に前記フィルムホルダーの水平杆の両側の端縁部を載置する切欠部を設けて形成され、
前記各ホルダー軸を半円状凹部に上方より装入すると共に、水平杆の両側端縁部を両側の切欠部にそれぞれ載置固定して、フィルムホルダーをベース台板に固定し、
前記フィルムストッパー受けは、各固定板の背面側端縁部上にガイド柱が立設されると共に、該ガイド柱内に、上端に案内ローラーの両端に突出した軸を装入する凹部を備えたスライド杆が上下動自在、且つ高さ位置を調整してその位置で固定可能なるようにして挿入されて形成され、
更に、前記フィルムストッパーは、水平杆の両側に、垂直杆を連設すると共に、該垂直杆の先端に連結杆を正面側に直角に連設固定してフィルム押圧バーを形成し、且つ該フィルム押圧バーが前記各スライド杆に揺動可能に軸支されると共に、前記スライド杆の上端の各凹部に案内ローラーの軸を装入して、該案内ローラーが回転可能なるよう配設され、且つ前記フィルム押圧バーが前記案内ローラーの背面側面に圧接および隔離自在なるようにして形成され、
更に、前記ベース台板の背面側起立片には、上部にフィルムのカット長さを表示するカウンターを、起伏自在なるように設置したカウンター保持具が左右動、および固定自在に装着され、且つ前記カウンターは、カウント表示器の両側部に、コアに巻回されたフィルムの外周面に圧接して回転して、長さを測定するローラーを備えて形成されるという手段
を採用することにより、上記課題を解決した。
【０００８】
【発明の実施の形態】本発明は、フィルム１を巻回した円筒型のコア２を保持するフィルムホルダー３と、該フィルムホルダー３を上部に載置固定するベース台板４と、該ベース台板４上に載置してフィルム１の上方部を挟持して固定するフィルムストッパー５とにより構成されている。また、前記コア２の両側端部周面には、該コア２に巻回されたフィルム１がずれないよう、ずれ防止円板２ａが周設されている。なお、図中、フィルム１は透明なものとして図示されている。
【０００９】前記フィルムホルダー３は、角パイプ材より成る水平杆６の両側に、わずかの巾の端縁部６ａを残して、直角にそれぞれ角パイプ材より成る固定杆７ａ，７ｂを垂設固定すると共に、該各固定杆７ａ，７ｂの下方部外側面にホルダー軸８を突設して形成された保持バー９に、前記巾および径の異なるコア２を保持することができるようにして形成されている。
【００１０】前記保持バー９を構成する一方の固定杆７ａの内側面に、径の異なる複数のコア２の端縁部を嵌挿して装着できるように、複数のコア２の内径とほぼ一致する径を有する円盤状の突起１０ａ，１０ｂ（図３においては２個の突起が図示されている）を、複数個階段状に一体に突設して形成されたコアホルダー１１が回転自在なるよう軸支されている。
【００１１】また、巾の異なるコア２を装着できるように、他方の固定杆７ｂの内側の前記水平杆６には、角パイプ材より成る可動杆１２の上端部が、該水平杆６に沿って左右動自在なるよう装着されており、且つ前記一方の固定杆７ａのコアホルダー１１と対面する前記可動杆１２の内側面に、前記一方の固定杆７ａに軸支されたと同一構成のコアホルダー１１が回転自在なるように軸支されている。なお、図中１３は可動杆１２上に設けられたストッパー螺子で、該ストッパー螺子１３を締付けることにより、その先端が水平杆６に圧着して、前記可動杆１２を所望位置で固定することができる。
【００１２】更に、前記水平杆６には、２個の上部カッターホルダー保持具１４が、該水平杆６に沿ってそれぞれ左右動自在なるよう装着されると共に、該各上部カッターホルダー保持具１４にはストッパー螺子１５が設けられており、該ストッパー螺子１５を締付けることにより、その先端が水平杆６に圧着して、前記各上部カッターホルダー保持具１４を所望位置で固定することができる。
【００１３】前記各上部カッターホルダー保持具１４の上方には、カッター１６を挿入する小さな隙間１７を備えた断面Ｕ字形をしたカッターホルダー１８が突設され、該隙間１７の外側からカッター１６の一方端部を挿入して、前記隙間１７の内側へ押出した後、締付け螺子１９を締付けることにより、カッターホルダー１８がカッター１６の他方端部に圧着して、該カッター１６を固定できるよう形成されている。
【００１４】また更に、前記フィルムホルダー３を構成する保持バー９の各固定杆７ａ，７ｂの内側面に、２個の下部カッターホルダー保持具２０を左右動自在なるよう装着するカッターホルダー保持杆２１が回動可能なるよう軸支されている。前記カッターホルダー保持杆２１は、２個の下部カッターホルダー保持具２０を左右動自在なるよう装着する丸パイプ材より成る保持杆２２の両側に支杆２３を突設して凹状に形成され、該支杆２３が各固定杆７ａ，７ｂに軸支されて、該カッターホルダー保持杆２１が上下方向に回動自在となっている。そして、前記カッターホルダー保持杆２１を正面側へ回動させると、各支杆２３の下面が後述する正面側起立片３３に当接して載置されると共に、保持杆２２が正面側起立片３３の前面側に位置する。
【００１５】前記カッターホルダー保持杆２１を構成する保持杆２２には、それぞれ下部カッターホルダー保持具２０を上方に立設した２個のホルダー基板２４が、該カッターホルダー保持杆２１に沿って左右動自在なるよう装着されると共に、該各ホルダー基板２４の底板２５の前方にはカット位置合わせの際、後述のカッタースケール２６を目視して位置合わせをする目視孔２７が穿設され、且つ前記ホルダー基板２４の前方部には、ストッパー螺子２８が螺挿されており、該ストッパー螺子２８を締付けることにより、その先端がカッターホルダー保持杆２１に圧着して、前記ホルダー基板２４を所望位置で固定することができる。
【００１６】前記各下部カッターホルダー保持具２０には、カッター１６を挿入する小さな隙間２９を備えた断面Ｕ字形をしたカッターホルダー３０が突設され、該隙間２９の内側から図１４・図１５に示すように、前記上部カッターホルダー保持具１４のカッターホルダー１８から押出されたカッター１６の一方端部を挿入した後、締付け螺子３１を締付けることにより、カッターホルダー３０がカッター１６の一方端部に圧着して、該カッター１６を固定できるよう形成されている。
【００１７】なお、前記各上部カッターホルダー保持具１４および各下部カッターホルダー保持具２０は、後述する位置合わせが完了した後、それぞれのストッパー螺子１５・２８を締付けて、該ストッパー螺子１５・２８を水平杆６および保持杆２２に圧着して固定し、然る後、前記各上・下部カッターホルダー保持具１４・２０のカッターホルダー１８・３０に架け渡すようにして、カッター１６をその刃先を下方へ向けて固定する。前記位置合わせをするための目視孔２７の鉛直線上に、カッター１６の刃先が位置するよう、前記各上部のカッターホルダー１８は調整して固定する必要がある。
【００１８】前記構成より成るフィルムホルダー３を上部に載置固定するベース台板４は、長方形状の基板３２の長手方向の正面側・背面側端縁部に、正面側起立片３３と背面側起立片３４とをそれぞれ直角に折曲して立設すると共に、該各正面側・背面側起立片３３・３４の両側端部に、前記フィルムホルダー３を載置して固定する固定板３５が対向して取付けられて形成されている。
【００１９】前記固定板３５は、背面側に後述するフィルムストッパー５を高さを調節して固定するフィルムストッパー受け３６を立設すると共に、中央部に前記フィルムホルダー３に設けられたホルダー軸８を装入する半円状凹部３７を設け、更に正面側に前記フィルムホルダー３の水平杆６の両側の端縁部６ａを載置する切欠部３８を設けて形成されている。
【００２０】前記各ホルダー軸８を半円状凹部３７に上方より装入すると共に、水平杆６の両側端縁部６ａを両側の切欠部３８にそれぞれ載置し、各固定板３５の外側面に取付けられたスプリング３９に連結する掛止片４０を備えたストッパー４１を回動させて、該掛止片４０をそれぞれ固定杆７ａ・７ｂに掛止して前記スプリング３９の弾発作用で、前記掛止片４０を前記固定杆７ａ・７ｂに強固に圧着して、フィルムホルダー３をベース台板４に固定する。なお、図中、４２はベース台板４の下面の隅角部に取付けられたキャスターで、該キャスター４２により該ベース台板４の移動を自在とする。
【００２１】前記フィルムストッパー受け３６は、各固定板３５の背面側端縁部上に角パイプ材より成るガイド柱４３が立設されると共に、該ガイド柱４３内に、上端に案内ローラー４４の両端に突出した軸４５を装入する凹部４６を備えたスライド杆４７が上下動自在、且つ高さ位置を調整してその位置で固定可能なるようにして挿入されて形成されている。
【００２２】前記スライド杆４７の高さ位置の調整固定手段は、特に限定する必要はないが、好ましくは図８に示すように形成することが推奨される。すなわち、ガイド柱４３にストッパー螺子４８を１個、または複数個取付け、該ストッパー螺子４８を締付けることにより、その先方部がスライド杆４７の上下方向に穿設された複数個の孔４７ａのいずれかに挿入され、前記スライド杆４７を所望の高さに調節して固定する。
【００２３】更に、前記フィルムストッパー５は、角パイプ材より成る水平杆４９の両側に、角パイプ材より成る垂直杆５０を連設すると共に、該垂直杆５０の先端に角パイプ材より成る連結杆５１を正面側に直角に連設固定してフィルム押圧バー５２を形成し、且つ該フィルム押圧バー５２が前記各スライド杆４７に揺動可能に軸支されると共に、前記スライド杆４７の上端の各凹部４６に案内ローラー４４の軸４５を装入して、該案内ローラー４４が回転可能なるよう配設され、且つ前記フィルム押圧バー５２が前記案内ローラー４４の背面側面に圧接するようにして形成されている。
【００２４】前記フィルム押圧バー５２のスライド杆４７への連結固定手段は、特に限定する必要はないが、好ましくは図９に示すように形成することが推奨される。すなわち、各連結杆５１の中央部近くにおいて、横方向に穿設された貫通孔５３に、各スライド杆４７の外側にそれぞれ突設された軸５４を嵌挿して、前記フィルム押圧バー５２を該軸５４を支点として揺動可能に軸支すると共に、前記スライド杆４７の上方部に、正面側端部に起立片５５を立設した突出片５６を突設し、且つ該起立片５５の基端部に、引きバネ５７（図９においては、３本の引きバネが図示されている）の基部側を連結固定し、且つ該引きバネ５７の先方部を連結片５８の基部側に連結固定し、更に、前記引きバネ５７を伸長した状態において、連結片５８の中央部に穿設された貫通孔５９に、前記垂直杆５０に突設された軸６０を嵌挿して形成されている。なお、図中６１は、連結片５８の先方部に穿設された指挿入孔で、図１０・図１１に示すように、該指挿入孔６１に指を挿入して、該連結片５８を引きバネ５７に抗して引張り、図１２に示すように、前記貫通孔５９に軸６０を嵌挿するときに使用する。
【００２５】また、図中６２は、フイルムストッパー５の水平杆４９の案内ローラー４４に接する面に取付けられたフェルトシートで、該フェルトシート６２により、後述する前記フイルムストッパー５と案内ローラー４４間の上方へ引き出されたフィルム１の上方部を、傷付けることなく挟持して固定できるよう形成されている。更に、前記フィルム押圧バー５２を前記引きバネ５７に抗して背面側へ回動させて、該引きバネ５７が水平位置より下方位置へ傾斜すると、該フィルム押圧バー５２の重量が、該引きバネ５７の引張り力より大きく形成されているため、該フィルム押圧バー５２は、図１２・図１９・図２０に示すように案内ローラー４４から膈離された状態で停止する。
【００２６】更に、前記ベース台板４の背面側起立片３４には、上部にフィルム１のカット長さを表示するカウンター６３を、押しバネ６４の作用により、起伏自在なるように設置したカウンター保持具６５が左右動自在に装着されている。前記カウンター６３は、カウント表示器６６の両側部に、コア２に巻回されたフィルム１の外周面に圧接して回転して、長さを測定するローラー６７を備えて形成されている。そして、前記カウンター６３は、フィルム１のカット時に、カウンター６３を、図１７・図１８に示すように、フィルム１側へ倒してローラー６７をフィルム１に圧接して使用する。
【００２７】また更に、前記ベース台板４の背面側起立片３３の内側の基板３２上には、前記したフィルム１のカット巾を測定するカッタースケール２６が左右方向に移動自在に設置される。
【００２８】前記構成より成る本発明フィルムカッターの作用について説明すると、先ず図３に示すように、フイルムホルダー３の一方側のコアホルダー１１の突起１０ａ・１０ｂのいずれかを、フィルム１を巻回したコア２の径に合わせて装着すると共に、可動杆１２を左右いずれかに移動させて、フィルムホルダー３の他方側のコアホルダー１１の突起１０ａ・１０ｂのいずれかを、前記コア２の径に合わせて装着し、然る後、図４に示すように、ストッパー螺子１３を締付けて、前記可動杆１２を水平杆６に固定し、フィルムホルダー３へのコア２の装着作業を完了する。
【００２９】次に、図５に示すように、前記コア２を装着したフイルムホルダー３をベース台板４に載置固定する。すなわち、図６・図７に示すように、フィルムホルダー３全体を持上げ、該フィルムホルダー３の固定杆７ａ・７ｂの両側に突出したホルダー軸８を、ベース台板４の両側の固定板３５の半円状凹部３７に、それぞれ上方より装入すると共に、水平杆６の両側端縁部６ａを各切欠部３８に載置し、各固定板３５の外側面に取付けられたスプリング３９に連結する掛止片４０を備えたストッパー４１を回動させて、該掛止片４０をそれぞれ固定杆７ａ・７ｂに掛止して、前記スプリング３９の弾発作用で、前記掛止片４０を前記固定杆７ａ・７ｂに圧着して固定する。
【００３０】そして、前記ベース台板４の各固定板３５に穿設された各ガイド柱４３に、スライド杆４７を挿入して、該スライド杆４７を上下動させて案内ローラー４４を載置する高さ位置の調整をした後、所定の高さ位置において、ストッパー螺子４８を締付けて、その先方部が前記スライド杆４７に穿設された複数個の孔４７ａのいずれかに挿入され、該各スライド杆４７は前記ガイド柱４３に固定され、且つ該ガイド柱４３に固定された各スライド杆４７の上方の各凹部４６に、上部ローラー４４の軸４５を装入し、該案内ローラー４４をスライド杆４７上において回転自在とする。
【００３１】次に、図９に示すように、フィルムストッパー５を構成するフィルム押圧バー５２の各連結杆５１の各貫通孔５３に、スライド杆４７に突設された軸５４を嵌挿して、前記フィルム押圧バー５２を揺動可能に軸支すると共に、図１０・図１１に示すように、連結片５８の指挿入孔６１に指を挿入して、引きバネ５７に抗して前記各連結片５８を引張り、各貫通孔５９に各軸６０を嵌挿した後、図１２に示すように、前記フィルム押圧バー５２を背面側へ押圧回動して案内ローラー４４への圧着状態を解除して隔離する。
【００３２】次に、図１３に示すように、カッター基板２４の底板２５の目視孔２７から目視して、カッタースケール２６を基準として、フイルム１のカット巾に合わせて、前記各カッター基板２４をカッターホルダー保持杆２１に沿って左右動させることにより、各下部カッターホルダー保持具２０を所定位置までそれぞれ移動させ、各ストッパー螺子２８を締付けて、各カッター基板２４をカッターホルダー保持杆２１に固定して、各下部カッターホルダー保持具２０を固定する。
【００３３】その後、前記各下部カッターホルダー保持具２０に合わせて、各上部カッターホルダー保持具１４を水平杆６に沿って左右動させて位置の調整をした後、各ストッパー螺子１５を締付けて、該各上部カッターホルダー保持具１４を前記各下部カッターホルダー保持具２０と合わせて固定する。これにより、前記目視孔２７とカッター１６とは同一垂直線上に位置する。
【００３４】前記各上・下部カッターホルダー保持具１４・２０の固定後、図１４に示すように、カッター１６をその刃先を下方へ向けて、各上部カッターホルダー保持具１４のカッターホルダー１８の上方部から差込んで、下方側へ押圧して、図１５に示すように、各下部カッターホルダー保持具２０のカッターホルダー３０の上方部に差込むと共に、各締付け螺子１９・３１を締付けて、前記各カッター１６をそれぞれ各上・下部カッターホルダー保持具１４・２０のカッターホルダー１８・３０に固定する一方、図１７に示すように、カウンター保持具６５を倒して、図１８に示すように、ローラー６７をフィルム１面に圧着すると共に、図１６に示すように、カウント表示器６６の数値を０にすることにより、フイルム１のカット作業の準備工程が完了する。
【００３５】前記準備工程が完了すると、図１９に示すように、作業者は正面側から、前記フィルム１の両側部を持上げながら該フィルム１の上端とカッター１６の刃と合った部分を少しカットする。そして、作業者が前記フィルム１の少しカットした部分を両手で持ち、そのまま前記フィルム１を垂直に持上げると、図２０に示すように、該フイルム１は各カッター１６によって垂直方向にカットされてカット線６８が形成され、然る後、図２１に示すように、前記フィルム１の切断端縁部を、案内ローラー４４上面から背面側へ垂らして前記フィルム押圧バー５２を手前へ引いて、引きバネ５７の弾発力により、前記案内ローラー４４に圧接して、フイルム１の端縁部を該フィルム押圧バー５２と案内ローラー４４間に挟着保持する。
【００３６】そして、図２２に示すように、作業者は背面側へ移動して、フィルム１の端縁部を持ち替えて、前記フィルム押圧バー５２を引きバネ５７に抗して、背面側へ押し倒して隔離して、フイルム１の挟持状態を解除した後、カウンター６３のカウント表示器６６を目視しながら、フィルム１を案内ローラー４４をガイドして下側ヘ引張り、所定の長さまでカットが完了すると、前記フィルム押圧バー５２を前面側へ倒して、再び前記フィルム１をフィルム押圧バー５２を案内ローラー４４間に挟着固定する。
【００３７】然る後、作業者は再び正面側へ回り、図２３・図２４に示すように、保持バー９を構成する水平杆６をガイドとして、市販のカッター６９でフイルム１を水平方向にカットすることにより、所定長さおよび巾にカットされたフィルム１を得ることができる。その後は、同様の操作を繰り返すことにより、多数のカットされたフィルム１が得られる。
【００３８】
【発明の効果】本発明は上述のようであるから、本発明フィルムカッター装置を構成する部材であるフィルムホルダー、ベース台板およびフィルムストッパーの各部材が分解できるので、一人の作業者が本発明装置をフィルムカット現場まで持ち運び、一人で簡単に組立て、そして作業完了後も簡単に分解できコンパクトに収納できるという効果を奏する。
また、フィルムのカット作業も、熟練を要することなく、一人の作業者のみでフィルムの長手方向に対して垂直に、簡単、且つ迅速に、然もカットミスがなく、正確にできるという優れた効果を奏する。
【図面の簡単な説明】
【図１】本発明フィルムカッター装置を正面側から見た全体の斜視図である。
【図２】本発明フィルムカッター装置において、ベース台板にフィルムストッパーを取付けた状態を背面側から見た斜視図である。
【図３】本発明フィルムカッター装置において、フィルムを巻回したコアをフィルムホルダーに装着する状態を示す正面図である。
【図４】本発明フィルムカッター装置において、フィルムを巻回したコアをフィルムホルダーに装着した状態を示す正面図である。
【図５】本発明フィルムカッター装置を背面側から見た組立分解斜視図である。
【図６】本発明フィルムカッター装置において、ベース台板上にフィルムホルダーを載置固定する状態を示す要部の斜視図である。
【図７】本発明フィルムカッター装置において、ベース台板上にフィルムホルダーを載置固定した状態を示す要部の斜視図である。
【図８】本発明フィルムカッター装置において、ベース台板上にフィルムストッパーを高さを調節して取付ける状態を示す要部の組立分解斜視図である。
【図９】本発明フィルムカッター装置において、フイルムストッパーを構成するスライド杆にフィルム押圧バーを取付ける状態を示す要部の組立分解斜視図である。
【図１０】本発明フィルムカッター装置において、フイルムストッパーを構成するスライド杆にフィルム押圧バーを取付ける状態を示す要部の斜視図である。
【図１１】本発明フィルムカッター装置において、フイルムストッパーを構成するスライド杆にフィルム押圧バーを取付ける状態を示す要部の斜視図である。
【図１２】本発明フィルムカッター装置において、フイルムストッパーを構成するスライド杆にフィルム押圧バーを取付けて、フィルム押圧バーを案内ロールから隔離した状態を示す要部の斜視図である。
【図１３】本発明フィルムカッター装置において、上・下部カッターホルダー保持具とカッタースケールとの関係を示す要部の斜視図である。
【図１４】本発明フィルムカッター装置において、上・下部カッターホルダー保持具のカッターホルダーにカッターを取付けようとする状態を示す要部の斜視図である。
【図１５】本発明フィルムカッター装置において、上・下部カッターホルダー保持具のカッターホルダーにカッターを取付けた状態を示す要部の斜視図である。
【図１６】本発明フィルムカッター装置におけるカウンター部分の背面図である。
【図１７】本発明フィルムカッター装置において、カウンターのローラーをフィルム面に圧接する前の状態を示す要部の斜視図である。
【図１８】本発明フィルムカッター装置において、カウンターのローラーをフィルム面に圧接した後の状態を示す要部の斜視図である。
【図１９】本発明フィルムカッター装置において、フィルムを長さ方向にカットする状態を示す要部の斜視図である。
【図２０】本発明フィルムカッター装置において、フィルムを長さ方向にカットする状態を示す要部の斜視図である。
【図２１】本発明フィルムカッター装置において、フィルムを長さ方向にカットする状態を示す要部の斜視図である。
【図２２】本発明フィルムカッター装置において、フィルムを長さ方向にカットする状態を示す要部の斜視図である。
【図２３】本発明フィルムカッター装置において、フィルムを巾方向にカットする状態を示す要部の斜視図である。
【図２４】本発明フィルムカッター装置において、フィルムを巾方向にカットする状態を示す要部の斜視図である。
【符号の説明】
１　フィルム、　２　コア、　３　フィルムホルダー、４　ベース台板、　５フィルムストッパー、　６　水平杆、　７ａ，７ｂ　固定杆、　８　ホルダー軸、　９　保持バー、　１０ａ，１０ｂ　突起、　１１　コアホルダー、　１２可動杆、　１４　上部カッターホルダー保持具、　１６　カッター、　１８　カッターホルダー、　２０　下部カッターホルダー保持具、　２１　カッターホルダー保持杆、　２２　保持杆、　２３　支杆、　２４　ホルダー基板、　２５底板、　２６　カッタースケール、　２７　目視孔、　３０　カッターホルダー、　３２　基板、　３３　正面側起立片、　３４　背面側起立片、　３５　固定板、　３６　フィルムストッパー受け、　３７　半円状凹部、　３８　切欠部、　３９　スプリング、　４０　掛止片、　４１　ストッパー、　４３　ガイド柱、　４４　案内ローラー、　４５　軸、　４６　凹部、　４７　スライド杆、４９　水平杆、　５０　垂直杆、　５１　連結杆、　５２　フィルム押圧バー、　６３　カウンター、　６４　押しバネ、　６５　カウンター保持具、　６６
カウント表示器、　６７　ローラー。
【図１】
2004082256.tif 000003
【図２】
2004082256.tif 000004
【図３】
2004082256.tif 000005
【図４】
2004082256.tif 000006
【図５】
2004082256.tif 000007
【図６】
2004082256.tif 000008
【図７】
2004082256.tif 000009
【図８】
2004082256.tif 000010
【図９】
2004082256.tif 000011
【図１０】
2004082256.tif 000012
【図１１】
2004082256.tif 000013
【図１２】
2004082256.tif 000014
【図１３】
2004082256.tif 000015
【図１４】
2004082256.tif 000016
【図１５】
2004082256.tif 000017
【図１６】
2004082256.tif 000018
【図１７】
2004082256.tif 000019
【図１８】
2004082256.tif 000020
【図１９】
2004082256.tif 000021
【図２０】
2004082256.tif 000022
【図２１】
2004082256.tif 000023
【図２２】
2004082256.tif 000024
【図２３】
2004082256.tif 000025
【図２４】
2004082256.tif 000026